(57)【要約】【課題】変動表示部材の保守作業の円滑化を図ることができる遊技機を提供すること。【解決手段】ミドルドア３１０を前面扉１００に対して回動自在となる態様で支持し、ミドルドア３００の回動時にはミドルドア３１０が前後方向へ移動することを許容する軸受部材１３０は、ミドルドア３１０に形成されたヒンジピン３１２が挿入され、かつヒンジピン３１２の軸心回りにミドルドア３１０が回動することを許容するヒンジカラー１３１と、ヒンジカラー１３１と係合し、ヒンジカラー１３１が前後方向に移動することを許容する係合孔１３０ａと、ヒンジピン３１２の端部に係合し、ヒンジピン３１２がヒンジカラー１３１への挿入方向と反対側の方向に向けて移動することを規制する封印キャップ１３２とを備えた。【選択図】図１５
2008246265.tif 000002
【特許請求の範囲】
【請求項１】
前面が開口した箱状の遊技機本体と、前記遊技機本体の前面開口を開閉する態様で該遊技機本体に配設された前面扉とを備えた遊技機において、前面側に変動表示部材を保持し、かつ前記前面扉の後面側に設けた扉体と、前記扉体を前記前面扉に対して回動自在となる態様で支持し、前記扉体の回動時には該扉体が前後方向へ移動することを許容する支持手段とを備え、
前記支持手段は、前記扉体に形成された軸状部が挿入され、かつ該軸状部の軸心回りに前記扉体が回動することを許容する支持部材と、前記支持部材と係合し、該支持部材が前後方向に移動することを許容する係合孔部と、前記軸状部の端部に係合し、前記軸状部が前記支持部材への挿入方向と反対側の方向に向けて移動することを規制する規制部材とを備えたことを特徴とする遊技機。
【請求項２】
前記扉体には、ピン部材が設けてあり、前記支持手段には、前記係合孔部を形成する側周面上に前記ピン部材と摺接する摺接面が形成されて成ることを特徴とする請求項１に記載の遊技機。
【発明の詳細な説明】
【技術分野】
【０００１】
本発明は、遊技機に関する。
【背景技術】
【０００２】
従来、メダル投入後、もしくはＢＥＴボタン押下後にスタートレバーを操作して、外周面に図柄が表示されたリール部材（変動表示部材）を回転させるとともに、各リール部材に対応したストップボタンを押打することによって各リール部材の回転を停止させ、表示された図柄の組み合わせに応じたメダルを払い出すパチスロ機と称される遊技機が知られている。
【０００３】
このような遊技機は、前面が開口した箱状の遊技機本体であるキャビネットと、該前面開口を開閉する態様でキャビネット前面側の一側縁部に設けられた前面扉と、前面扉を構成するパネルに保持され、該前面扉の内部に収容されたリール部材とを備えて構成されている（例えば、特許文献１参照）。
【特許文献１】特開２００４−２４４１０号公報
【発明の開示】
【発明が解決しようとする課題】
【０００４】
ところが、上述した遊技機では、リール部材が前面扉を構成するパネルに保持された態様で該前面扉の内部に収容されているため、リール部材を保守作業する場合には、該パネルを取り外して、リール部材を取り出してから行う必要があり、保守作業が煩雑になる。
【０００５】
本発明は、上記実情に鑑みて、変動表示部材の保守作業の円滑化を図ることができる遊技機を提供することを目的とする。
【課題を解決するための手段】
【０００６】
上記目的を達成するために、本発明の請求項１に係る遊技機は、前面が開口した箱状の遊技機本体と、前記遊技機本体の前面開口を開閉する態様で該遊技機本体に配設された前面扉とを備えた遊技機において、前面側に変動表示部材を保持し、かつ前記前面扉の後面側に設けた扉体と、前記扉体を前記前面扉に対して回動自在となる態様で支持し、前記扉体の回動時には該扉体が前後方向へ移動することを許容する支持手段とを備え、前記支持手段は、前記扉体に形成された軸状部が挿入され、かつ該軸状部の軸心回りに前記扉体が回動することを許容する支持部材と、前記支持部材と係合し、該支持部材が前後方向に移動することを許容する係合孔部と、前記軸状部の端部に係合し、前記軸状部が前記支持部材への挿入方向と反対側の方向に向けて移動することを規制する規制部材とを備えたことを特徴とする。
【０００７】
本発明によれば、前面側に変動表示部材を保持し、かつ前面扉の後面側に設けた扉体を前面扉に対して回動自在となる態様で支持し、該扉体の回動時には該扉体が前後方向へ移動することを許容するので、扉体を前面扉に対して後方側に回動させるだけで、前面側に保持する変動表示部材を表出させることができる。その結果、扉体を取り外さなくても、回動させるだけで、表示変動部材の保守作業を行うことができる。また、支持手段が、扉体を回動可能となる態様で支持し、扉体の回動時には扉体が前後方向へ移動することを許容するので、扉体の回動時には、扉体を後方に移動させることで、扉体の前面側に保持された表示変動部材が前面扉の構成部材と干渉する虞れがなく、スムーズ、かつ確実に扉体を回動させることができる。
【０００８】
また、支持部材が、扉体に形成された軸状部が挿入され、かつ該軸状部の軸心回りに扉体が回動することを許容し、係合孔部が、支持部材と係合し、該支持部材が前後方向に移動することを許容し、規制部材が、軸状部の端部に係合し、軸状部が支持部材への挿入方向と反対側の方向に向けて移動することを規制するので、扉体の回動時には、扉体の前面側に保持された表示変動部材が前面扉の構成部材と干渉する虞れがなく、スムーズ、かつ確実に扉体を回動させることができ、しかも、扉体の回動および移動の安定性を向上させるとともに、ガタツキを防止することができる。
【０００９】
本発明の請求項２に係る遊技機は、上述した請求項１において、前記扉体には、ピン部材が設けてあり、前記支持手段には、前記係合孔部を形成する側周面上に前記ピン部材と摺接する摺接面が形成されて成ることを特徴とする。
【００１０】
本発明によれば、扉体にはピン部材が設けてあり、支持手段には、係合孔部を形成する側周面上にピン部材と摺接する摺接面が形成されて成るので、扉体の回動および移動の安定性を更に向上させることができるととともに、扉体が前面扉に対して開放した状態を良好に保持することができる。
【発明の効果】
【００１１】
本発明に係る遊技機によれば、変動表示部材の保守作業の円滑化を図ることができるという効果を奏する。
【発明を実施するための最良の形態】
【００１２】
以下に添付図面を参照して、本発明に係る遊技機の好適な実施の形態を詳細に説明する。尚、本発明は、メダル、コイン、遊技球またはトークン等を遊技媒体として用いる各種遊技機に適用することができるが、ここではメダルを遊技媒体として用いるパチスロ機に適用した場合について説明する。
【００１３】
＜実施の形態１＞図１は、本発明の実施の形態１における遊技機（パチスロ機）の外観を示す前面視の斜視図である。図１に示すように、パチスロ機１は、主として、前面扉１００と、当該前面扉１００によって前面開口を開閉される矩形箱形のキャビネット２００とを有した外観を呈している。
【００１４】
前面扉１００は、図１において左側部に配設した蝶番（図示せず）を介してキャビネット２００に取り付けてあり、当該蝶番を介してキャビネット２００の前面開口を開閉可能に設けてある。また、前面扉１００は、図１において右側部に配設した施錠機構１０１によってキャビネット２００に対する閉塞状態が保持される。尚、本実施の形態１において、左方は、パチスロ機１を前面側から見た場合の左方を示し、右方は、パチスロ機１を前面側から見た場合の右方を示すものとする。
【００１５】
前面扉１００の前面中央には、リール（変動表示部材）１０２が設けてある。リール１０２は、複数種類の図柄（２１個）が外周面に描かれており、当該図柄を前面視で上方から下方に移動する態様で回転可能に設けてある。そして、リール１０２は、一定の速度（例えば８０回転／分）で回転し、回転停止状態において上下方向に並ぶ３個の図柄（図示せず）を前面にあらわす。このリール１０２は、横一列に３個（１０２Ｌ，１０２Ｃ，１０２Ｒ）設けてある。各リール１０２Ｌ，１０２Ｃ，１０２Ｒは、回転停止状態においてそれぞれ上下方向にあらわした３つの図柄を横方向に上段、中段、下段、右上がり斜め、および右下がり斜めに組み合わせた５列の表示ラインとしてあらわす。
【００１６】
前面扉１００の前面においてリール１０２の下方には、前面に突出した台座部１０３が設けてある。台座部１０３の上面右側には、メダルを投入するためのメダル投入口１０４が設けてある。メダル投入口１０４に投入されたメダルは、クレジットされるか、またはゲームに賭けられる。
【００１７】
台座部１０３の上面左側には、クレジットされているメダルを賭けるためのＢＥＴボタン１０５が設けてある。本実施の形態１におけるＢＥＴボタン１０５には、１−ＢＥＴボタン１０５ａと最大ＢＥＴボタン１０５ｂとがある。１−ＢＥＴボタン１０５ａは、１回の押下操作ごとにクレジットされたメダルから１枚のメダルが賭けられる。最大ＢＥＴボタン１０５ｂは、１回の押下操作によりクレジットされたメダルから１ゲームに賭け得る最大枚数のメダル（通常は３枚）が賭けられる。
【００１８】
上記ＢＥＴボタン１０５が押下操作するか、もしくはメダル投入口１０４にメダルを投入すると、リール１０２の表示ラインが有効化される。例えば、１−ＢＥＴボタン１０５ａを１回押下操作するか、もしくはメダル投入口１０４に１枚のメダルを投入することで、３個のリール１０２Ｌ，１０２Ｃ，１０２Ｒの中段のみの１つの表示ラインが有効化される。また、１−ＢＥＴボタン１０５ａを２回押下操作するか、もしくはメダル投入口１０４に２枚のメダルを投入することで、３個のリール１０２Ｌ，１０２Ｃ，１０２Ｒの上段、中段、下段の３つの表示ラインが有効化される。更に、１−ＢＥＴボタン１０５ａを３回押下操作するか、もしくはメダル投入口１０４に３枚のメダルを投入することで、３個のリール１０２Ｌ，１０２Ｃ，１０２Ｒの上段、中段、下段、右上がり斜め、右下がり斜めの５つの表示ラインが有効化される。また、メダル投入口１０４に３枚以上のメダルを投入すると４枚目以降のメダルはクレジットされることになる。一方、最大ＢＥＴボタン１０５ｂを１回押下操作することで、３個のリール１０２Ｌ，１０２Ｃ，１０２Ｒの上段、中段、下段、右上がり斜め、右下がり斜めの５つの表示ラインが有効化される。尚、本実施の形態１では、ＢＥＴボタン１０５の押下操作、もしくはメダル投入口１０４へのメダル投入操作を「ＢＥＴ操作」と呼ぶこととする。
【００１９】
台座部１０３の前面左側には、クレジットの有効化または無効化を押下操作で切り替えるＣ／Ｐボタン１０６が設けてある。Ｃ／Ｐボタン１０６の１回の押下操作ごとにクレジットの有効化／無効化が切り替えられることになる。例えば、所定枚数のメダルがクレジットされた状態でＣ／Ｐボタン１０６が押下操作されると、クレジットが無効化されてクレジットされている枚数分のメダルが後述のメダル払出口１１０から払い出される。一方、クレジットが無効化された状態でＣ／Ｐボタン１０６が押下操作されると、クレジットが有効となる。
【００２０】
台座部１０３の前面であってＣ／Ｐボタン１０６の右側には、遊技者の操作によって上記各リール１０２Ｌ，１０２Ｃ，１０２Ｒの回転を始動させるスタートレバー１０７が設けてある。スタートレバー１０７は、上下方向の所定の角度範囲で揺動可能に設けてあり、通常は上方に付勢されていて、下方への傾動操作によってリール１０２Ｌ，１０２Ｃ，１０２Ｒの回転が始動される。
【００２１】
台座部１０３の前面であってスタートレバー１０７の右側には、遊技者の操作によってリール１０２の回転を停止させるための停止ボタン１０８が設けてある。停止ボタン１０８は、上記各リール１０２Ｌ，１０２Ｃ，１０２Ｒにそれぞれ対応して３個（１０８Ｌ，１０８Ｃ，１０８Ｒ）設けてあり、各リール１０２Ｌ，１０２Ｃ，１０２Ｒの直下の位置に配置してある。
【００２２】
前面扉１００の前面であってリール１０２の左側には、表示部１０９が設けてある。表示部１０９は、数字を表示する７セグメントＬＥＤを２桁１組として、２組が並べて配設してある。そして、例えば左の１組はクレジットしてあるメダル枚数を表示するクレジット表示部であり、右の１組は遊技者がゲームで獲得したメダルの払い出し枚数を表示する払出表示部である。
【００２３】
前面扉１００の前面下部には、メダル払出口１１０およびメダル受け部１１１が設けてある。メダル払出口１１０は、主に遊技者がゲームで獲得したメダルを前面扉１００の外部に払い出す部位である。また、メダル払出口１１０は、上記Ｃ／Ｐボタン１０６の押下操作によってクレジットが無効化された場合、クレジットされている枚数分のメダルを前面扉１００の外部に払い出す。更に、メダル払出口１１０は、クレジットの最大枚数（例えばメダル５０枚分）を超えた場合に、当該超えた分の枚数のメダルを前面扉１００の外部に払い出す。メダル受け部１１１は、メダル払出口１１０から払い出されたメダルを受け取る受け皿である。
【００２４】
前面扉１００の前面であってリール１０２の上方には、液晶表示部１１２が設けてある。液晶表示部１１２には、パチスロ遊技時の各種演出表示や待機時のデモ表示等が行われる。
【００２５】
前面扉１００の前面上部には、左右対称にスピーカ１１３が設けてある。スピーカ１１３は、遊技の演出に関する効果音等を出音する。
【００２６】
キャビネット２００は、図には明示しないが遊技場に設置される島設備に取り付けられるものである。キャビネット２００の内部には、主として、各所に電力を供給する電源部と、上記メダル投入口１０４から投入されたメダルを受けるとともにメダル払出口１１０から払い出すためのメダルを貯留し払い出すホッパー５１２（図１３参照）等が配置してある。
【００２７】
図２は、図１に示した遊技機（パチスロ機）の前面扉の後面側を示す図、図３は、ミドルドアを示す後面図、図４は、ミドルドアを外した状態の前面扉の後面側を示す図、図５は、ミドルドアを示す斜視図である。
【００２８】
前面扉１００の後面側中央には、ミドルドア（扉体）３００が取り付けてある。より詳細には、Ｃ／Ｐボタン１０６、スタートレバー１０７および停止ボタン１０８に対応する部位にミドルドア３００が取り付けてある。このミドルドア３００には、図２および図３に示すように、左方に延在する２つのヒンジアーム３０１が設けてある。そして、それぞれのヒンジアーム３０１の延在先端部には、下方に向けて突出するヒンジピン（軸状部）３０２が設けてある。ヒンジピン３０２は、詳細は後述するが、前面扉１００の後面側に設けた軸受部材（支持手段）１２０の係合孔（長孔部）１２０ａに上方側より挿入されており、これにより、ヒンジアーム３０１の延在先端部の下面が係合孔１２０ａの上端縁部に当接する結果、ミドルドア３００は、ヒンジピン３０２の軸心回りに回動可能な態様で軸受部材１２０に係合されている。そして、ミドルドア３００は、軸受部材１２０に回動可能に係合することにより、ミドルドア３００の左側部が係合端、右側部が自由端として、前面扉１００に対して開閉可能なものである。
【００２９】
上記ミドルドア３００には、ヒンジアーム３０１の下方において左方斜め下に延在する支持アーム３０３が設けてある。そして、支持アーム３０３の延在先端部には、下方に向けて突出する支持ピン３０４が設けてある。支持ピン３０４は、詳細は後述するが、軸受部材１２０のガイド突起１２１に接している。
【００３０】
また、ミドルドア３００には、上方の左右側部および下部の３箇所の位置にロック部材３０５が設けてある。ロック部材３０５は、図３に示すミドルドア３００の後面側に摘み部３０５ａを有し、図には明示しないがミドルドア３００の前面側に貫通した端部に鉤部を有している。この鉤部は、図４に示すように前面扉１００の後面側に設けた係止孔１２２に挿入して係合する。すなわち、ミドルドア３００は、軸受部材１２０との係合を基にして前面扉１００を閉塞した場合に、ロック部材３０５の鉤部を係止孔１２２に挿入して摘み部３０５ａを持ってロック部材３０５を回転させ、鉤部を係止孔１２２に掛止させることによって、前面扉１００に対して閉塞した状態を保持されて取り付けられる。
【００３１】
更に、ミドルドア３００の右側部には、把持部３００ａが設けてある。把持部３００ａは、パチスロ機１の保守作業を行う作業者に把持させるための部位である。
【００３２】
上記のごとく前面扉１００の後面側に取り付けたミドルドア３００の前面には、上述した各リール１０２Ｌ，１０２Ｃ，１０２Ｒがステッピングモータ５１３Ｌ，５１３Ｃ，５１３Ｒ（図１３参照）とともに取り付けてある。リール１０２は、ミドルドア３００の前面側では表出してあり、ミドルドア３００を前面扉１００に対して閉塞した状態において、前面扉１００の中央に設けた窓部１２３（図４参照）を介して前面扉１００の前面側から見えるように設けてある。また、リール１０２は、ミドルドア３００の後面側では保護カバー３０６で覆われている。
【００３３】
また、ミドルドア３００においてリール１０２を取り付けた上側には、基板ケース４００が取り付けてある。基板ケース４００は、本実施の形態１では透明な合成樹脂材で成形して箱体であり、主制御回路５００（主制御手段、図１３参照）を収納してある。主制御回路５００は、パチスロ機１における各種処理動作、例えば遊技処理動作や遊技に関する特別遊技状態の発生確率の設定値の設定変更処理動作等を制御するものである。尚、ここで、「遊技に関する設定値」とは、遊技機に対して外的に設定できかつ遊技中に遊技機内で行なわれる任意の処理のために設定すべき値のことであり、また、「特別遊技状態」とは、具体的には、例えばパチスロ機の場合、所定回数の有利な遊技を行なえる状態のことであって、遊技者に相対的に大きい利益を与えるゲームが所定回数行えるビッグボーナスや、遊技者に相対的に小さい利益を与える遊技を所定ゲーム行えるレギュラーボーナスのことである。
【００３４】
図６〜図８は、それぞれ図２に示した軸受部材を示したものであり、図６は斜視図（後方斜視図）、図７は側面図、図８は平面図である。これら図６〜図８において、軸受部材１２０は、２つの係合孔１２０ａと、ガイド突起１２１とを有している。係合孔１２０ａは、ミドルドア３００のヒンジピン３０２が挿通できるのに十分な大きさを有しており、前後方向の径が左右方向の径よりも大きくなる長孔である。
【００３５】
ガイド突起１２１は、軸受部材１２０の下部に形成してあり、摺接部１２１ａと、湾曲部１２１ｂとを有している。摺接部１２１ａは、ガイド突起１２１の基部側に設けてあり、詳細は後述するが、支持ピン３０４に摺接する部位である。この摺接部１２１ａには、凸部１２１ｃが設けてある。凸部１２１ｃは右方に向けて僅かに突出する態様で形成してある。この凸部１２１ｃは、詳細は後述するが、支持ピン３０４が摺接部１２１ａの前方位置にある場合に、かかる支持ピン３０４が後方側に移動することを規制するものである。また、凸部１２１ｃの突出高さは、支持ピン３０４が前方から後方へ移動する場合、あるいは後方から前方へ移動する場合に、乗り越えることができる大きさに規定してある。湾曲部１２１ｂは、ガイド突起１２１の延在先端側に設けた円弧状の形態を成す部位である。この湾曲部１２１ｂは、支持ピン３０４と略同一の曲率を有しており、支持ピン３０４と係合するための部位である。
【００３６】
図９および図１０は、それぞれ図２に示したミドルドアと軸受部材との係合状態、すなわちミドルドアの取付構造を示したものであり、図９は背面図であり、図１０は、図９の要部を拡大して示した斜視図（後方斜視図）である。尚、図９および図１０は、ともにミドルドア３００が前面扉１００に対して閉塞した状態を示している。これら図９および図１０に示すように、ミドルドア３００は、２つのヒンジピン３０２がそれぞれ軸受部材１２０の係合孔１２０ａに上方側から挿入され、ヒンジアーム３０１の延在先端部の下面が係合孔１２０ａの上端縁部に当接する結果、軸受部材１２０に係合されている。係合孔１２０ａは、上述したようにヒンジピン３０２が挿通できるのに十分な大きさを有しているので、ミドルドア３００は、ヒンジピン３０２の軸心（中心軸）回りに回動可能になっており、回動することで前面扉１００に対して開閉動作することができる。そして、図９および図１０に示すように、ミドルドア３００が前面扉１００に対して閉塞している場合には、ヒンジピン３０２は、図１１の実線で示すように、係合孔１２０ａの前方側に位置している。このようにミドルドア３００が前面扉１００に対して閉塞している場合には、支持ピン３０４は、図１２の実線で示すように、周面がガイド突起１２１の摺接部１２１ａの前面側に接しており、凸部１２１ｃにより後方への移動が規制されている。
【００３７】
このようにミドルドア３００は、ヒンジピン３０２が係合孔１２０ａに上方側から挿入されて軸受部材１２０と係合しているため、ミドルドア３００を上方側に移動させることにより、該ミドルドア３００と軸受部材１２０との係合状態を解除することができ、着脱可能に設けられている。
【００３８】
そして、ロック部材３０５によるロックを解除した後にミドルドア３００を前面扉１００に対して開動作させる場合には、ミドルドア３００は、ヒンジピン３０２の軸心回りに後方側に向けて回動することとなるが、ヒンジピン３０２を挿通させる係合孔１２０ａは、前後方向の径が左右方向の径よりも大きい長孔であるため、ヒンジピン３０２は、後方側に移動することが可能である。ヒンジピン３０２が後方側に移動して、図１１の二点鎖線で示すように、係合孔１２０ａの後方側に位置した場合には、支持ピン３０４は、図１２の二点鎖線で示すように、凸部１２１ｃを乗り越え、摺接部１２１ａから湾曲部１２１ｂに接しながら移動した後に該湾曲部１２１ｂに係合する。このように支持ピン３０４が湾曲部１２１ｂに係合することにより、ミドルドア３００が前面扉１００に対して開放した状態、すなわち、ミドルドア３００が後方に移動し、かつ前面扉１００に対して後方側に向けて回動した状態が保持される。
【００３９】
一方、そのような開放状態にあるミドルドア３００を前面扉１００に対して閉動作させる場合には、支持ピン３０４が湾曲部１２１ｂに係合した状態で、ミドルドア３００をヒンジピン３０２の軸心回りに前方側に向けて回動させ、ミドルドア３００の前面が前面扉１００に対向したら、ミドルドア３００を前方側（前面扉１００側）に押圧する。これにより、ヒンジピン３０２が係合孔１２０ａの前方側に向けて移動して、図１１の実線で示す位置、すなわち前方位置に移動する。また、支持ピン３０４が湾曲部１２１ｂから摺接部１２１ａに接しながら移動し、凸部１２１ｃを乗り越えて図１２の実線で示す位置、すなわち前方位置に移動する。このように支持ピン３０４が前方位置に移動すると、支持ピン３０４は凸部１２１ｃにより後方への移動が規制され、ミドルドア３００が前面扉１００に対して閉塞する。その後、ロック部材３０５によりロックされてその閉塞状態が保持される。このように、凸部１２１ｃは、ミドルドア３００が前面扉に対して閉塞状態にある場合に、支持ピン３０４が後方へ移動することを規制し、ロック部材３０５によるロックを補助する役割を有している。
【００４０】
以下においては、上述したパチスロ機１の制御系および動作を説明する。図１３は、本発明に係る遊技機（パチスロ機）の制御系を示すブロック図である。
【００４１】
図１３に示すように、パチスロ機１の制御系としては、遊技処理動作や設定変更処理動作を制御する主制御回路５００と、主制御回路５００に電気的に接続される周辺装置（アクチュエータ）と、主制御回路５００から送信される制御指令に基づいて液晶表示部１１２およびスピーカ１１３等を制御する副制御回路５５０とが含まれる。尚、副制御回路５５０は、図２に示す前面扉１００の後面側において、液晶表示部１１２を設けた後面側に配置した副制御基板５５１に設けてある。
【００４２】
主制御回路５００は、マイクロコンピュータ５０１を主たる構成要素とし、これに乱数サンプリングのための回路を加えて構成されている。マイクロコンピュータ５０１は、予め設定されたプログラムに従って制御動作を行うＣＰＵ５０２と、記憶手段であるＲＯＭ５０３およびＲＡＭ５０４とを有する。
【００４３】
ＣＰＵ５０２には、基準クロックパルスを発生するクロックパルス発生回路５０５、および基準クロック信号を分周することによりＣＰＵ５０２の動作クロック信号を生成するための分周器５０６と、ＣＰＵ５０２の制御にしたがって一定範囲の乱数を発生させるための乱数発生器５０７、および乱数発生器５０７で発生した乱数の中から任意の乱数を抽出してＣＰＵ５０２へ送信するためのサンプリング回路５０８とが接続してある。ＣＰＵ５０２では、所定のプログラムに基づいて乱数発生器５０７で発生する乱数、およびサンプリング回路５０８で抽出された乱数によって確率抽籤処理が実行される。この確率抽籤処理では、設定変更によって設定される特別遊技状態の発生確率の設定値（１〜６段階）によって異なる確率抽籤処理テーブルが参照され、この確率抽籤処理テーブルに基づいて、ビッグボーナス等の特別遊技状態の発生確率が、例えば１／２４０〜１／３００の範囲内で決定される。尚、マイクロコンピュータ５０１内のＣＰＵ５０２上で乱数サンプリング用プログラムを実行してソフトウエア的に乱数サンプリングを行うこともできる。この場合、乱数発生器５０７およびサンプリング回路５０８を省略することができる。
【００４４】
ＲＯＭ５０３には、スタートレバー１０７を操作（スタート操作）する毎に行われる乱数サンプリングの判定に用いられる確率抽籤テーブルや停止用当籤役決定テーブル、停止ボタンの操作に応じてリール１０２の停止態様を決定するための停止テーブル群等が格納してある。また、ＲＯＭ５０３には、副制御回路５５０へ送信するための各種制御指令等が格納されている。副制御回路５５０が主制御回路５００へ制御指令や情報等を入力することはなく、主制御回路５００から副制御回路５５０への一方向で通信が行われる。ＲＡＭ５０４には、内部当籤役、持越役、現在の遊技状態等の種々の情報が格納される。
【００４５】
マイクロコンピュータ５０１からの制御信号により動作が制御される主要なアクチュエータとしては、ＢＥＴランプ５１１（１−ＢＥＴランプ，２−ＢＥＴランプ，最大ＢＥＴランプ等を含む）と、表示部１０９（クレジット表示部，払出表示部およびボーナス遊技情報表示部等を含む）と、メダルを貯留し払い出すホッパー５１２と、各リール１０２Ｌ，１０２Ｃ，１０２Ｒを回転駆動するステッピングモータ５１３Ｌ，５１３Ｃ，５１３Ｒとがある。
【００４６】
また、ＢＥＴランプ５１１を駆動制御するランプ駆動回路５１１Ｄ、表示部１０９を駆動制御する表示部駆動回路１０９Ｄ、ホッパー５１２を駆動制御するホッパー駆動回路５１２Ｄ、並びにステッピングモータ５１３Ｌ，５１３Ｃ，５１３Ｒを駆動制御するモータ駆動回路５１３ＤがＣＰＵ５０２の出力部に接続してある。これらの駆動回路は、それぞれＣＰＵ５０２から出力される駆動指令等の制御信号を受けて、各アクチュエータの動作を制御する。
【００４７】
また、マイクロコンピュータ５０１へは、メダルセンサ１０４Ｓ、ＢＥＴスイッチ１０５Ｓ、Ｃ／Ｐスイッチ１０６Ｓ、スタートスイッチ１０７Ｓ、停止スイッチ１０８Ｓ、リール位置検出回路１０２Ｉ、払出完了信号回路５１２Ｉからの入力信号が入力され、これらに基づいて制御指令が発生される。
【００４８】
ここで、メダルセンサ１０４Ｓは、メダル投入口１０４に投入されたメダルを検出するセンサである。ＢＥＴスイッチ１０５Ｓは、それぞれ対応するＢＥＴボタン１０５（１０５ａ，１０５ｂ）の後面側に設けてあり、ＢＥＴボタン１０５（１０５ａ，１０５ｂ）の操作に応じて信号を発生するスイッチである。Ｃ／Ｐスイッチ１０６Ｓは、Ｃ／Ｐボタン１０６の後面側に設けてあり、Ｃ／Ｐボタン１０６の操作に応じて信号を発生するスイッチである。スタートスイッチ１０７Ｓは、スタートレバー１０７の操作を検出するスイッチである。停止スイッチ１０８Ｓは、それぞれ対応する停止ボタン１０８（１０８Ｌ，１０８Ｃ，１０８Ｒ）の後面側に設けてあり、停止ボタン１０８（１０８Ｌ，１０８Ｃ，１０８Ｒ）の操作に応じて停止信号を発生するスイッチである。リール位置検出回路１０２Ｉは、リール回転センサからのパルス信号を受けて各リール１０２Ｌ，１０２Ｃ，１０２Ｒの位置を検出するための信号をＣＰＵ５０２へ供給する回路である。払出完了信号回路５１２Ｉは、メダル検出部５１２Ｓの計数値（ホッパー５１２から払出されたメダルの枚数）が指定された枚数データに達した時に、メダル払出完了を示す信号を発生する回路である。
【００４９】
ここで、遊技を行う場合において、乱数発生器５０７は、一定の数値範囲に属する乱数を発生し、サンプリング回路５０８は、スタートレバー１０７が操作された後の適宜のタイミングで乱数をサンプリングする。こうしてサンプリングされた乱数を使用することにより、例えばＲＯＭ５０３内に格納されている確率抽籤テーブル等に基づいて内部当籤役等が決定される。
【００５０】
スタートレバー１０７が操作されてリール１０２Ｌ，１０２Ｃ，１０２Ｒの回転が開始された後、ステッピングモータ５１３Ｌ，５１３Ｃ，５１３Ｒの各々に供給される駆動パルスの数が計数され、その計数値がＲＡＭ５０４の所定エリアに書き込まれる。リール１０２Ｌ，１０２Ｃ，１０２Ｒからは一回転毎にリセットパルスが得られ、これらのパルスはリール位置検出回路１０２Ｉを介してＣＰＵ５０２に入力される。このようにして得られたリセットパルスにより、ＲＡＭ５０４で計数されている駆動パルスの計数値が“０”にクリアされる。これにより、ＲＡＭ５０４内には、各リール１０２Ｌ，１０２Ｃ，１０２Ｒについて一回転の範囲内における回転位置に対応した計数値が格納される。
【００５１】
上記のようなリール１０２Ｌ，１０２Ｃ，１０２Ｒの回転位置とリール外周面上に描かれた図柄とを対応づけるために、図柄テーブル（図示せず）が、ＲＯＭ５０３内に格納されている。この図柄テーブルでは、前述したリセットパルスが発生する回転位置を基準として、各リール１０２Ｌ，１０２Ｃ，１０２Ｒの一定の回転ピッチ毎に順次付与されるコードナンバーと、それぞれのコードナンバー毎に対応して設けられた図柄を示す図柄コードとが対応づけられている。
【００５２】
また、ＲＯＭ５０３内には、役の成立（入賞等）となる図柄の組合せと、入賞のメダル配当枚数と、その入賞（成立）を表わす入賞判定コード（成立判定コード）とが対応づけられた図柄組合せテーブルが格納されている。この図柄組合せテーブルは、左のリール１０２Ｌ，中央のリール１０２Ｃ，右のリール１０２Ｒの停止制御時並びに全リール１０２Ｌ，１０２Ｃ，１０２Ｒの停止後の入賞確認（表示役の確認）を行う際に参照される。表示役（表示役データ）は、有効ラインに沿って並ぶ図柄組合せに対応する役（成立役）であり、遊技者にはこの表示役に対応する利益が付与される。
【００５３】
ＣＰＵ５０２は、上記乱数サンプリングに基づく抽籤処理（確率抽籤処理等）により内部当籤役や停止用当籤役を決定したならば、遊技者が停止ボタン１０８Ｌ，１０８Ｃ，１０８Ｒを操作したタイミングで各停止スイッチ１０８Ｓから送られる操作信号並びに決定された停止テーブルに基づいて、リール１０２Ｌ，１０２Ｃ，１０２Ｒを停止制御する信号をモータ駆動回路５１３Ｄに送出する。
【００５４】
また、ＣＰＵ５０２は、当籤した役の入賞を示す停止態様（即ち入賞態様）になれば、払出指令信号をホッパー駆動回路５１２Ｄに供給してホッパー５１２から所定個数のメダルの払出を行う。その際、メダル検出部５１２Ｓは、ホッパー５１２から払出されるメダルの枚数を計数し、その計数値が指定された数に達した時にメダル払出完了信号をＣＰＵ５０２に入力する。これにより、ＣＰＵ５０２は、ホッパー駆動回路５１２Ｄを介してホッパー５１２の駆動を停止し、メダル払出処理を終了することになる。
【００５５】
以上説明したようなパチスロ機１においては、ミドルドア３００のヒンジピン３０２が軸受部材１２０の係合孔１２０ａに挿入されることにより、ミドルドア３００が回動可能になり、回動することにより前面扉１００に対して開閉動作することができる。これにより、ミドルドア３００を取り外さなくても、前面扉１００に対して後方側に回動、すなわち開動作させるだけで、リール１０２の保守作業を行うことができ、保守作業の円滑化を図ることができる。
【００５６】
上記パチスロ機１においては、ミドルドア３００と係合する軸受部材１２０は、係合孔１２０ａが長孔にしてあるので、ミドルドア３００の回動時、すなわちミドルドア３００の開閉動作時には該ミドルドア３００の前後方向の移動を許容する。これにより、ミドルドア３００の回動時には、ミドルドア３００を後方に移動させることで、ミドルドア３００の前面側に保持されたリール１０２が前面扉１００の構成部材と干渉する虞れがなく、スムーズ、かつ確実にミドルドア３００を回動させることができる。
【００５７】
また、パチスロ機１によれば、軸受部材１２０を構成するガイド突起１２１の湾曲部１２１ｂが、支持ピン３０４に係合してミドルドア３００が前面扉１００に対して開放した状態、すなわち、ミドルドア３００が後方に移動し、かつ前面扉１００に対して後方側に向けて回動した状態を保持するので、リール１０２の保守作業を容易に行うことができ、保守作業の円滑化を向上させることができる。
【００５８】
更に、パチスロ機１によれば、軸受部材１２０がミドルドア３００を着脱可能に支持してあるので、ミドルドア３００を取り外してリール１０２の保守作業を行う際に、作業者が把持部３００ａを把持することにより、ミドルドア３００の持ち運びが容易に行え、利便性が向上する。また、ミドルドア３００には、主制御回路５００と、リール１０２とが設けられているため、それらをミドルドア３００ごと交換することにより機種変更を実現することができる。ここで、主制御回路およびリール１０２の交換は、機種変更の際に必ず必要なものであり、これら主制御回路５００およびリール１０２の交換作業のみで機種変更が可能となる場合もあるため、機種変更を行う際にも有用である。
【００５９】
＜実施の形態２＞図１４〜図２１は、それぞれ本発明の実施の形態２における遊技機の要部を示したものであり、図１４は遊技機を構成するミドルドアの後面図、図１５〜図２１は、それぞれ図１４に示したミドルドアと、遊技機を構成する軸受部材との係合状態を示す分解斜視図、後面図、斜視図（後方斜視図）、側面図、前面図、縦断面図および拡大底面図である。尚、上述した実施の形態１における遊技機（パチスロ機１）と同一の構成を有するものには同一の符号を付してその説明を省略する。
【００６０】
本発明の実施の形態２における遊技機は、実施の形態１のパチスロ機１を構成するミドルドア３００および軸受部材１２０に代わり、ミドルドア（扉体）３１０および軸受部材（支持手段）１３０を備えている。すなわち、本発明の実施の形態２における遊技機は、上述した実施の形態１における遊技機（パチスロ機１）とはミドルドア３１０および軸受部材１３０が異なるのみで、その他の構成は同じである。
【００６１】
ミドルドア３１０は、実施の形態１におけるミドルドア３００と同様に前面扉１００の後面側中央、すなわちＣ／Ｐボタン１０６、スタートレバー１０７および停止ボタン１０８に対応する部位に取り付けられるものであり、図１４に示すように左方に延在する２つのヒンジアーム３１１を有している。
【００６２】
それぞれのヒンジアーム３１１の延在先端部には、下方に向けて突出するヒンジピン（軸状部）３１２が設けてある。ヒンジピン３１２は、基部３１２１と、係合突起部３１２２とを有して成るものである。基部３１２１は、円柱状の形態を成し、ヒンジアーム３１１の延在先端部に接続された部位である。係合突起部３１２２は、基部３１２１の先端部分、すなわち基部３１２１の下端部分から下方に突出する態様で設けられたもので、基部３１２１との接続部分よりも先端部分の方が拡径となる形態を成している。また、係合突起部３１２２の最大幅は、基部３１２１の外径よりも小さいものである。
【００６３】
また、それぞれのヒンジアーム３１１の延在先端部には、ヒンジピン３１２の右方側、すなわちヒンジピン３１２よりもヒンジアーム３１１の基端側に下方に突出する態様で支持ピン（ピン部材）３１４が設けてある。
【００６４】
上述したミドルドア３１０には、実施の形態１におけるミドルドア３００と同様に、上方の左右側部および下部の３箇所の位置にロック部材３０５（摘み部３０５ａ）が設けてあり、右側部には把持部３００ａが設けてある。また、ミドルドア３１０の前面には、各リール１０２Ｌ，１０２Ｃ，１０２Ｒがステッピングモータ５１３Ｌ，５１３Ｃ，５１３Ｒとともに取り付けてある。リール１０２は、ミドルドア３１０の後面側では保護カバー３０６で覆われている。更に、ミドルドア３１０においてリール１０２を取り付けた上側には、基板ケース４００が取り付けてある。
【００６５】
軸受部材１３０は、実施の形態１における軸受部材１２０と同様に前面扉１００の後面側に取り付けられるものであり、図１５に示すように、係合孔（係合孔部）１３０ａと、ヒンジカラー（支持部材）１３１と、封印キャップ（規制部材）１３２とを備えて構成してある。
【００６６】
係合孔１３０ａは、２つ設けてあり、ミドルドア３１０のヒンジピン３１２が挿通できるのに十分な大きさを有しており、前後方向の径が左右方向の径よりも大きくなる長孔である。より詳細に説明すると、係合孔１３０ａは、左右幅は均一であり、後方側が湾曲された形状の長孔である。この係合孔１３０ａは、内周壁に前後方向に延在する係合溝部１３０ｂが形成してあり、しかも軸受部材１３０の前方側に形成された開口部（図１９参照）１３０ｃと連通する態様で形成してある。
【００６７】
ヒンジカラー１３１は、支持部１３１１と、係合片１３１２とを有して構成してある。支持部１３１１は、中空部が上下方向に延在する略円筒状の形態を成しており、中空部の上下方向の長さはヒンジピン３１２よりも僅かに小さく、中空部の内径はヒンジピン３１２の外径（基部３１２１の外径）よりも僅かに大きく形成してある。この支持部１３１１は、詳細は後述するが、ミドルドア３１０をヒンジピン３１２の軸心回りに回動可能に支持するためのものである。
【００６８】
係合片１３１２は、貫通孔（図示せず）が形成された平板状のものであり、かかる貫通孔に支持部（中空部）１３１１が貫通してある。この係合片１３１２は、左右方向の長さが係合孔１３０ａの左右方向の径に適合する大きさに形成してある。また、係合片１３１２の厚みは、係合孔１３０ａに形成された係合溝部１３０ｂに進入可能な大きさに形成してある。
【００６９】
封印キャップ１３２は、図２２および図２３に示すように、円環部１３２１と、係合壁部１３２２と、係合部１３２３とを有して構成してある。円環部１３２１は、円環板状の形態を成している。円環部１３２１の外径は、係合孔１３０ａの左右方向の径よりも大きく形成してある。
【００７０】
係合壁部１３２２は、円環部１３２１の内周形成部分の上面に周方向に延在する態様で上方に突出して形成してある。この係合壁部１３２２の外径は、ヒンジカラー１３１における支持部１３１１の中空部の内径に適合する大きさに形成してある。
【００７１】
係合部１３２３は、基部１３２３ａと、係合爪部１３２３ｂとを有して構成してある。基部１３２３ａは、円環部１３２１の内側に例えば４つの接続部分１３２４により接続された態様で設けた小径円環状の部分である。係合爪部１３２３ｂは、２つ設けてあり、基部１３２３ａの内周形成部分において互いに対向する部位から上方に突出する態様で形成され、上端部分に係合爪が形成してある。
【００７２】
次に、ミドルドア３１０と、軸受部材１３０との係合状態について説明する。ヒンジカラー１３１は、係合孔１３０ａの内部で、前後方向に沿って移動可能な態様で設けてある。より詳細に説明すると、ヒンジカラー１３１は、開口部１３０ｃから係合孔１３０ａの内部に進入させられ、該ヒンジカラー１３１の係合片１３１２の側端部分が係合溝部１３０ｂに進入させられて係合してある。係合溝部１３０ｂは、上述したように前後方向に延在する態様で形成してあることから、ヒンジカラー１３１は、係合溝部１３０ｂの延在方向に沿って、すなわち前後方向に沿ってスライド移動可能に設けてある。また、ヒンジカラー１３１は、支持部１３１１（中空部）が後方側となるように設けてある。
【００７３】
このようにヒンジカラー１３１が係合孔１３０ａの内部に設けた状態で、軸受部材１３０は、実施の形態１における軸受部材１２０と同様に、前面扉１００の後面側の所定部位に図示しない取付手段を介して取り付けてある。
【００７４】
係合孔１３０ａの内部に前後方向に沿って移動可能に設けたヒンジカラー１３１の支持部１３１１における中空部に、ヒンジピン３１２が上方側より挿入されることにより、ミドルドア３１０が軸受部材１３０と係合している。より詳細に説明すると、ヒンジピン３１２が支持部１３１１の中空部に上方側から挿入される一方、封印キャップ１３２が支持部１３１１の中空部の下方側から挿入され、図２０に示すように、該中空部の内部でヒンジピン３１２の係合突起部３１２２と封印キャップ１３２の係合爪部１３２３ｂとが係合する結果、ミドルドア３１０は、図１６〜図１９に示すように、軸受部材１３０に係合している。そして、ヒンジカラー１３１の支持部１３１１における中空部は、内径がヒンジピン３１２の外径（基部３１２１の外径）よりも僅かに大きく形成してあるので、ミドルドア３１０は、ヒンジピン３１２の軸心（中心軸）回りに回動可能な態様で軸受部材１３０に係合している。ここに、図１５〜図２１では、軸受部材１３０の上側の係合孔１３０ａのみにミドルドア３１０のヒンジピン３１２が係合する場合について示してあるが、これは説明の便宜上のためであり、実際には、下側の係合孔１３０ａにもミドルドア３１０のヒンジピン３１２が係合している。
【００７５】
このようにミドルドア３１０は、軸受部材１３０に回動可能な態様で係合することにより、ミドルドア３１０の左側部が係合端、右側部が自由端として、実施の形態１におけるミドルドア３００と同様に、前面扉１００の後面側中央の所定部位に該前面扉１００に対して開閉可能に取り付けてある。また、ヒンジカラー１３１が係合孔１３０ａの内部にて前後方向に沿って移動可能に設けてあるため、該ヒンジカラー１３１によって支持されるミドルドア３１０は、前後方向に沿って移動可能になっている。
【００７６】
ミドルドア３１０のヒンジピン３１２を構成する係合突起部３１２２と係合する封印キャップ１３２は、ミドルドア３１０の回動動作に従動して、ヒンジピン３１２と一体的に回転することになる。また、封印キャップ１３２は、円環部１３２１の外径が係合孔１３０ａの左右方向の径よりも大きいので、ミドルドア３１０を上方側に移動させた場合に円環部１３２１の周縁部分が係合孔１３０ａを形成する部分（以下、係合孔形成部と称する）１３０ｄの下面と当接する結果、ミドルドア３１０の上方側への移動を規制することになる。
【００７７】
図１６〜図２１に示すように、ミドルドア３１０の支持ピン３１４は、軸受部材１３０における係合孔形成部１３０ｄの側周面上に接しており、ミドルドア３１０が前後方向に沿って移動する際、並びにミドルドア３１０が回動する際に、該側周面上を摺接する。換言すると、軸受部材１３０における係合孔形成部１３０ｄの側周面上には、支持ピン３１４と摺接する摺接面１３０ｅが形成されている。
【００７８】
図には明示しないが、ミドルドア３１０が前面扉１００に対して閉塞している場合には、ヒンジピン３１２を支持するヒンジカラー１３１は、係合孔１３０ａの前方側に位置している。
【００７９】
そして、ロック部材３０５によるロックを解除した後にミドルドア３１０を前面扉１００に対して開動作させる場合には、ミドルドア３１０を、ヒンジカラー１３１の後方側に向けてのスライド移動に伴って後方側にスライド移動させる。このとき、支持ピン３１４も係合孔形成部１３０ｄの摺接面１３０ｅに接しながら後方側に向けて移動する。ヒンジカラー１３１が係合孔１３０ａの後方側に位置した場合、すなわちヒンジピン３１２が係合孔１３０ａの後方側に位置した場合には、ミドルドア３１０をヒンジピン３１２の軸心回りに後方側に向けて回動させることにより、該ミドルドア３１０は、前面扉１００に対して開放した状態になる。このとき、支持ピン３１４は、ミドルドア３１０の回動動作に伴って係合孔形成部１３０ｄの摺接面１３０ｅに接しながら移動する。
【００８０】
一方、そのような開放状態にあるミドルドア３１０を前面扉１００に対して閉動作させる場合には、ミドルドア３１０をヒンジピン３１２の軸心回りに前方側に向けて回動させ、ミドルドア３１０の前面が前面扉１００に対向したら、ミドルドア３１０を前方側（前面扉１００側）に押圧する。これにより、ヒンジカラー１３１が係合孔１３０ａの前方側に向けて移動するのに伴い、ヒンジピン３１２も係合孔１３０ａの前方側に向けて移動する。このとき、支持ピン３１４は、ミドルドア３１０の回動動作および前方側への移動に応じて係合孔形成部１３０ｄの摺接面１３０ｅに接しながら移動する。そして、ヒンジピン３１２が係合孔１３０ａの前方位置に移動すると、ミドルドア３１０が前面扉１００に対して閉塞する。その後、ロック部材３０５によりロックされてその閉塞状態が保持される。
【００８１】
次に、ミドルドア３１０と軸受部材１３０との係合状態を解除する場合について説明する。封印キャップ１３２の接続部分１３２４（図２３参照）を例えばニッパー等の工具で破断させる。封印キャップ１３２の係合部１３２３の外径Ｌは、係合壁部１３２２の外径がヒンジカラー１３１の中空部の内径に適合する大きさであることから、該中空部の内径よりも小さく、これにより、ヒンジピン３１２と封印キャップ１３２の係合爪部１３２３ｂ（係合部１３２３）とが係合した状態のままミドルドア３１０を上方側に移動させることにより、該ミドルドア３１０と軸受部材１３０との係合状態を解除することができる。
【００８２】
このように軸受部材１３０との係合状態を解除したミドルドア３１０を再び軸受部材１３０に係合させる場合には、ヒンジピン３１２に係合したままの封印キャップ１３２の一部（係合部１３２３）を除去して、新たな封印キャップ１３２を利用して上述したように係合させる。つまり、ミドルドア３１０と軸受部材１３０との係合状態を一端解除してしまうと、新たな封印キャップ１３２が必要になる。このことから、ミドルドア３１０を軸受部材１３０から離脱させると痕跡が残ることになる。
【００８３】
以上説明したような本発明の実施の形態２における遊技機においては、ミドルドア３１０は、ヒンジピン３１２が係合孔１３０ａの内部に設けられたヒンジカラー１３１の支持部１３１１に回動可能に支持されて軸受部材１３０と係合することにより、回動することにより前面扉１００に対して開閉動作することができる。これにより、ミドルドア３１０を取り外さなくても、前面扉１００に対して後方側に回動、すなわち開動作させるだけで、リール１０２の保守作業を行うことができ、保守作業の円滑化を図ることができる。
【００８４】
上記遊技機においては、ミドルドア３１０を回動可能な態様で支持するヒンジカラー１３１が前後方向に沿って移動可能に係合孔１３０ａの内部に設けてあるので、ミドルドア３１０の回動時、すなわちミドルドア３１０の開閉動作時には該ミドルドア３１０の前後方向の移動を許容する。これにより、ミドルドア３１０の回動時には、ミドルドア３１０を後方に移動させることで、ミドルドア３１０の前面側に保持されたリール１０２が前面扉１００の構成部材と干渉する虞れがなく、スムーズ、かつ確実にミドルドア３１０を回動させることができる。特に、係合孔１３０ａの内部に設けたヒンジカラー１３１を介してミドルドア３１０を回動および前後方向に沿って移動させるので、ミドルドア３１０の回動および移動の安定性を向上させるとともに、ガタツキを防止することができる。
【００８５】
また、遊技機によれば、ミドルドア３１０の回動時および前後方向への移動時に、該ミドルドア３１０の支持ピン３１４が係合孔形成部１３０ｄの周面上に形成された摺接面１３０ｅに接した態様で移動するので、ミドルドア３１０の回動および移動の安定性を更に向上させることができるととともに、ミドルドア３１０が前面扉１００に対して開放した状態を良好に保持することができる。従って、リール１０２の保守作業を容易に行うことができ、保守作業の円滑化を向上させることができる。
【００８６】
更に、遊技機によれば、ミドルドア３１０を軸受部材１３０から離脱させると痕跡が残るので、ミドルドア３１０を軸受部材１３０から取り外した履歴を残すことができ、これにより、意図しない作業が行われた場合にすぐに察知することができ、不正行為を有効に抑止することができる。
【００８７】
＜実施の形態３＞以下に本発明の実施の形態３における遊技機について説明する。この実施の形態３における遊技機の概要を説明すると次のようになる。
【００８８】
すなわち、前面が開口した箱状のキャビネット２００と、このキャビネット２００の前面開口を開閉する態様で該キャビネット２００に配設された前面扉１００とを備えた遊技機において、前面側に変動表示部材を保持し、かつ前面扉１００の後面側に設けた扉体と、扉体に形成された軸状部が挿入され、かつ該軸状部の軸心回りに扉体が回動することを許容する支持部材と、支持部材を内部に設けた係合孔部と、軸状部の端部に結合し、軸状部が支持部材への挿入方向と反対側の方向に向けて移動することを規制する規制部材とを備えたものである。
【００８９】
図２４および図２５は、それぞれ本発明の実施の形態３における遊技機の要部を示したものであり、図２４は後面図、図２５は斜視図（後方斜視図）である。尚、上述した実施の形態１における遊技機（パチスロ機１）と同一の構成を有するものには同一の符号を付してその説明を省略する。
【００９０】
本発明の実施の形態３における遊技機は、実施の形態１のパチスロ機１を構成するミドルドア３００および軸受部材１２０に代わり、ミドルドア（扉体）３２０および軸受部材１４０を備えている。すなわち、本発明の実施の形態３における遊技機は、上述した実施の形態１における遊技機（パチスロ機１）とはミドルドア３２０および軸受部材１４０が異なるのみで、その他の構成は同じである。
【００９１】
ミドルドア３２０は、実施の形態１におけるミドルドア３００と同様に前面扉１００の後面側中央、すなわちＣ／Ｐボタン１０６、スタートレバー１０７および停止ボタン１０８に対応する部位に取り付けられるものであり、図２４に示すように左方に延在する２つのヒンジアーム３２１を有している。
【００９２】
それぞれのヒンジアーム３２１の延在先端部には、下方に向けて突出するヒンジピン（軸状部；図示せず）が設けてある。ヒンジピンは、基部（図示せず）と、結合片３２２２とを有して成るものである。基部は、円柱状の形態を成し、ヒンジアーム３２１の延在先端部に接続された部位である。結合片３２２２は、基部の先端部分、すなわち基部の下端部分から下方に突出する態様で設けられたもので、その端部にネジ孔３２２３が形成してある。
【００９３】
上述したミドルドア３２０には、実施の形態１におけるミドルドア３００と同様に、上方の左右側部および下部の３箇所の位置にロック部材３０５（摘み部３０５ａ）が設けてあり、右側部には把持部３００ａが設けてある。また、ミドルドア３２０の前面には、各リール（変動表示部材）１０２Ｌ，１０２Ｃ，１０２Ｒがステッピングモータ５１３Ｌ，５１３Ｃ，５１３Ｒとともに取り付けてある。リール１０２は、ミドルドア３２０の後面側では保護カバー３０６で覆われている。更に、ミドルドア３２０においてリール１０２を取り付けた上側には、基板ケース４００が取り付けてある。
【００９４】
図２６〜図２９は、それぞれ本発明の実施の形態３における遊技機を構成する軸受部材、すなわち図２４および図２５に示した軸受部材について示したものであり、図２６は分解斜視図（後方斜視図）、図２７は分解斜視図（前方斜視図）、図２８は斜視図（後方斜視図）、図２９は前面図である。これら図２６〜図２９において、軸受部材１４０は、実施の形態１における軸受部材１２０と同様に前面扉１００の後面側に取り付けられるものであり、図１５に示すように、係合孔（係合孔部）１４０ａと、ヒンジカラー（支持部材）１４１と、封印キャップ（規制部材）１４２と、封印シール１４３とを備えて構成してある。
【００９５】
係合孔１４０ａは、２つ設けてあり、ミドルドア３２０のヒンジピンが挿通できるのに十分な大きさを有したものである。この係合孔１４０ａは、内周壁に前後方向に延在する係合溝部１４０ｂが形成してあり、しかも軸受部材１４０の前方側に形成された開口部１４０ｃ（図２７および図２９参照）と連通する態様で形成してある。
【００９６】
ヒンジカラー１４１は、支持部１４１１と、係合片１４１２とを有して構成してある。支持部１４１１は、中空部が上下方向に延在する略円筒状の形態を成しており、中空部の上下方向の長さはヒンジピンよりも小さく、中空部の内径はヒンジピンの外径よりも僅かに大きく形成してある。この支持部１４１１は、詳細は後述するが、ミドルドア３２０をヒンジピンの軸心回りに回動可能に支持するためのものである。
【００９７】
係合片１４１２は、貫通孔（図示せず）が形成された平板状のものであり、かかる貫通孔に支持部１４１１が貫通してある。この係合片１４１２は、左右方向の長さが係合孔１４０ａの左右方向の径に適合する大きさに形成してある。また、係合片１４１２の厚みは、係合孔１４０ａに形成された係合溝部１４０ｂに進入可能な大きさに形成してある。
【００９８】
封印キャップ１４２は、図２６および図２７に示すように、孔部１４２１が上下方向に沿って形成してあるとともに、該孔部１４２１に連通するネジ孔１４２２が形成してある。孔部１４２１は、ヒンジピンの結合片３２２２に挿通されるものである。ネジ孔１４２２は、孔部１４２１に結合片３２２２が挿通した場合に、該結合片３２２２のネジ孔３２２３に対応する部位に形成してある。また、封印キャップ１４２の上端部分は円板状に形成してあり、その外径は、係合孔１４０ａの左右方向の径よりも大きく形成してある。
【００９９】
封印シール１４３は、フィルムシートのようなものであり、片面が粘着面になっている。この封印シール１４３は、一旦剥がすと粘着力を失うものである。
【０１００】
次に、ミドルドア３２０と、軸受部材１４０との係合状態について説明する。ヒンジカラー１４１は、係合孔１４０ａの内部に設けてある。より詳細に説明すると、ヒンジカラー１４１は、開口部１４０ｃから係合孔１４０ａの内部に進入させられ、該ヒンジカラー１４１の係合片１４１２の側端部分が係合溝部１４０ｂに進入させられて係合してある。また、ヒンジカラー１４１は、支持部１４１１（中空部）が後方側となるように設けてある。
【０１０１】
このようにヒンジカラー１４１が係合孔１４０ａの内部に設けた状態で、軸受部材１４０は、実施の形態１における軸受部材１２０と同様に、前面扉１００の後面側の所定部位に図示しない取付手段を介して取り付けてある。
【０１０２】
係合孔１４０ａの内部に設けたヒンジカラー１４１の支持部１４１１における中空部に、ヒンジピンが上方側より挿入されることにより、ミドルドア３２０が軸受部材１４０と係合している。より詳細に説明すると、ヒンジピンが支持部１４１１の中空部に上方側から挿入され、該中空部から下方に突出したヒンジピンの結合片３２２２が封印キャップ１４２の孔部１４２１に挿通され、該結合片３２２２のネジ孔３２２３と封印キャップ１４２のネジ孔１４２２とを一致させた後に、図示しないネジで螺合させて封印キャップ１４２をヒンジピンに結合させる結果、ミドルドア３２０は、軸受部材１４０に係合している。そして、ヒンジカラー１４１の支持部１４１１における中空部は、内径がヒンジピンの外径よりも僅かに大きく形成してあるので、ミドルドア３２０は、ヒンジピンの軸心（中心軸）回りに回動可能な態様で軸受部材１４０に係合している。
【０１０３】
このようにミドルドア３２０は、軸受部材１４０に回動可能な態様で係合することにより、ミドルドア３２０の左側部が係合端、右側部が自由端として、実施の形態１におけるミドルドア３００と同様に、前面扉１００の後面側中央の所定部位に該前面扉１００に対して開閉可能に取り付けてある。
【０１０４】
ミドルドア３２０のヒンジピンを構成する結合片３２２２と結合された封印キャップ１４２は、ミドルドア３２０の回動動作に従動して、ヒンジピンと一体的に回転することになる。また、封印キャップ１４２は、最大幅が係合孔１４０ａの左右方向の径よりも大きいので、ミドルドア３２０を上方側に移動させても係合孔１４０ａを通過することができず、ミドルドア３２０の上方側への移動を規制することになる。この封印キャップ１４２の側面には、ネジを覆う態様で封印シール１４３を屈曲させて貼り付けてある。これにより、ネジを外部に晒す虞れがなく、美観にも優れたものになる。
【０１０５】
図には明示しないが、ミドルドア３２０が前面扉１００に対して閉塞している場合において、ロック部材３０５によるロックを解除した後にミドルドア３２０を前面扉１００に対して開動作させるときには、ミドルドア３２０をヒンジピンの軸心回りに後方側に向けて回動させることにより、該ミドルドア３２０は、前面扉１００に対して開放した状態になる。
【０１０６】
一方、そのような開放状態にあるミドルドア３２０を前面扉１００に対して閉動作させる場合には、ミドルドア３２０をヒンジピンの軸心回りに前方側に向けて回動させ、ミドルドア３２０の前面が前面扉１００に対向して閉塞する。その後、ロック部材３０５によりロックされてその閉塞状態が保持される。
【０１０７】
以上説明したような本発明の実施の形態３における遊技機においては、ミドルドア３２０は、ヒンジピンが係合孔１４０ａの内部に設けられたヒンジカラー１４１の支持部１４１１に回動可能に支持されて軸受部材１４０と係合することにより、回動することにより前面扉１００に対して開閉動作することができる。これにより、ミドルドア３２０を取り外さなくても、前面扉１００に対して後方側に回動、すなわち開動作させるだけで、リール１０２の保守作業を行うことができ、保守作業の円滑化を図ることができる。特に、係合孔１４０ａの内部に設けたヒンジカラー１４１を介してミドルドア３２０を回動させるので、ミドルドア３２０の回動の安定性を向上させるとともに、ガタツキを防止することができる。
【０１０８】
また、遊技機によれば、封印シール１４３を剥がすと粘着力が失われてしまい、かかる封印シール１４３を再度利用することができない。そのため、封印シール１４３を一旦剥がすと履歴を残すことができ、これにより、意図しない作業が行われた場合にすぐに察知することができ、不正行為を有効に抑止することができる。
【０１０９】
＜実施の形態４＞以下に本発明の実施の形態４における遊技機について説明する。この実施の形態４における遊技機の概要を説明すると次のようになる。
【０１１０】
すなわち、前面が開口した箱状のキャビネット２００と、このキャビネット２００の前面開口を開閉する態様で該キャビネット２００に配設された前面扉１００とを備えた遊技機において、前面側に変動表示部材を保持し、かつ前面扉１００の後面側に設けた扉体と、扉体に形成された軸状部が挿入され、かつ該軸状部の軸心回りに扉体が回動することを許容する支持部材と、支持部材を内部に設けた係合孔部と、軸状部の端部に係合し、軸状部が支持部材への挿入方向と反対側の方向に向けて移動することを規制する規制部材とを備えたものである。
【０１１１】
図３０〜図３５は、それぞれ本発明の実施の形態４における遊技機の要部を示したものであり、図３０は遊技機を構成するミドルドアの後面図、図３１〜図３５は、それぞれ図３０に示したミドルドアと、遊技機を構成する軸受部材との係合状態を示す分解斜視図、上方側から見た後方斜視図、下方側から見た後方斜視図、側面図および断面側面図である。尚、上述した実施の形態１における遊技機（パチスロ機１）と同一の構成を有するものには同一の符号を付してその説明を省略する。
【０１１２】
本発明の実施の形態４における遊技機は、実施の形態１のパチスロ機１を構成するミドルドア３００および軸受部材１２０に代わり、ミドルドア（扉体）３３０および軸受部材１５０を備えている。すなわち、本発明の実施の形態４における遊技機は、上述した実施の形態１における遊技機（パチスロ機１）とはミドルドア３３０および軸受部材１５０が異なるのみで、その他の構成は同じである。
【０１１３】
ミドルドア３３０は、実施の形態１におけるミドルドア３００と同様に前面扉１００の後面側中央、すなわちＣ／Ｐボタン１０６、スタートレバー１０７および停止ボタン１０８に対応する部位に取り付けられるものであり、図３０に示すように左方に延在する２つのヒンジアーム３３１を有している。
【０１１４】
それぞれのヒンジアーム３３１の延在先端部には、下方に向けて突出するヒンジピン（軸状部）３３２が設けてある。ヒンジピン３３２は、基部３３２１と、係合突起部３３２２とを有して成るものである。基部３３２１は、円柱状の形態を成し、ヒンジアーム３３１の延在先端部に接続された部位である。係合突起部３３２２は、基部３３２１の先端部分、すなわち基部３３２１の下端部分から下方に突出する態様で設けられたものである。また、係合突起部３３２２の最大幅は、基部３３２１の外径よりも小さいものである。
【０１１５】
上述したミドルドア３３０には、実施の形態１におけるミドルドア３００と同様に、上方の左右側部および下部の３箇所の位置にロック部材３０５（摘み部３０５ａ）が設けてあり、右側部には把持部３００ａが設けてある。また、ミドルドア３３０の前面には、各リール１０２Ｌ，１０２Ｃ，１０２Ｒがステッピングモータ５１３Ｌ，５１３Ｃ，５１３Ｒとともに取り付けてある。リール１０２は、ミドルドア３３０の後面側では保護カバー３０６で覆われている。更に、ミドルドア３３０においてリール１０２を取り付けた上側には、基板ケース４００が取り付けてある。
【０１１６】
軸受部材１５０は、実施の形態１における軸受部材１２０と同様に前面扉１００の後面側に取り付けられるものであり、図３１に示すように、係合孔（係合孔部）１５０ａと、ヒンジカラー（支持部材）１５１と、封印キャップ（規制部材）１５２とを備えて構成してある。
【０１１７】
係合孔１５０ａは、２つ設けてあり、ミドルドア３３０のヒンジピン３３２が挿通できるのに十分な大きさを有している。この係合孔１５０ａは、内周壁に係合溝部１５０ｂ（図３５参照）が形成してあり、しかも軸受部材１５０の前方側に形成された開口部（図示せず）と連通する態様で形成してある。
【０１１８】
ヒンジカラー１５１は、支持部１５１１と、係合片１５１２とを有して構成してある。支持部１５１１は、中空部が上下方向に延在する略円筒状の形態を成しており、中空部の上下方向の長さはヒンジピン３３２よりも僅かに小さく、中空部の内径はヒンジピン３３２の外径（基部３３２１の外径）よりも僅かに大きく形成してある。この支持部１５１１は、詳細は後述するが、ミドルドア３３０をヒンジピン３３２の軸心回りに回動可能に支持するためのものである。
【０１１９】
係合片１５１２は、貫通孔（図示せず）が形成された平板状のものであり、かかる貫通孔に支持部１５１１が貫通してある。この係合片１５１２は、周縁部が係合溝部１５０ｂに進入して係合するものである。
【０１２０】
封印キャップ１５２は、図３６および図３７に示すように、円環部１５２１と、係合部１５２２とを有して構成してある。円環部１５２１は、円環状の形態を成している。円環部１５２１の外径は、係合孔１５０ａの内径よりも大きく形成してある。
【０１２１】
係合部１５２２は、基部１５２２ａと、係合爪部１５２２ｂとを有して構成してある。基部１５２２ａは、円環部１５２１の内側に例えば４つの接続部分１５２３により接続された態様で設けた小径円板状の部分である。係合爪部１５２２ｂは、２つ設けてあり、基部１５２２ａの中央領域において互いに対向する部位から上方に突出する態様で形成され、上端部分に係合爪が形成してある。
【０１２２】
次に、ミドルドア３３０と、軸受部材１５０との係合状態について説明する。ヒンジカラー１５１は、係合孔１５０ａの内部に設けてある。より詳細に説明すると、ヒンジカラー１５１は、開口部から係合孔１５０ａの内部に進入させられ、該ヒンジカラー１５１の係合片１５１２の周縁部が係合溝部１５０ｂに進入させられて係合してある。
【０１２３】
このようにヒンジカラー１５１が係合孔１５０ａの内部に設けた状態で、軸受部材１５０は、実施の形態１における軸受部材１２０と同様に、前面扉１００の後面側の所定部位に図示しない取付手段を介して取り付けてある。
【０１２４】
係合孔１５０ａの内部に設けたヒンジカラー１５１の支持部１５１１における中空部に、ヒンジピン３３２が上方側より挿入されることにより、ミドルドア３３０が軸受部材１５０と係合している。より詳細に説明すると、ヒンジピン３３２が支持部１５１１の中空部に上方側から挿入される一方、封印キャップ１５２が支持部１５１１の中空部の下方側から挿入され、図３５に示すように、該中空部の内部でヒンジピン３３２の係合突起部３３２２と封印キャップ１５２の係合爪部１５２２ｂとが係合する結果、ミドルドア３３０は、図３２〜図３４に示すように、軸受部材１５０に係合している。そして、ヒンジカラー１５１の支持部１５１１における中空部は、内径がヒンジピン３３２の外径（基部３３２１の外径）よりも僅かに大きく形成してあるので、ミドルドア３３０は、ヒンジピン３３２の軸心（中心軸）回りに回動可能な態様で軸受部材１５０に係合している。ここに、図３１〜図３５では、軸受部材１５０の上側の係合孔１５０ａのみにミドルドア３３０のヒンジピン３３２が係合する場合について示してあるが、これは説明の便宜上のためであり、実際には、下側の係合孔１５０ａにもミドルドア３３０のヒンジピン３３２が係合している。
【０１２５】
このようにミドルドア３３０は、軸受部材１５０に回動可能な態様で係合することにより、ミドルドア３３０の左側部が係合端、右側部が自由端として、実施の形態１におけるミドルドア３００と同様に、前面扉１００の後面側中央の所定部位に該前面扉１００に対して開閉可能に取り付けてある。
【０１２６】
ミドルドア３３０のヒンジピン３３２を構成する係合突起部３３２２と係合する封印キャップ１５２は、ミドルドア３３０の回動動作に従動して、ヒンジピン３３２と一体的に回転することになる。また、封印キャップ１５２は、円環部１５２１の外径が係合孔１５０ａの内径よりも大きいので、ミドルドア３３０を上方側に移動させても係合孔１５０ａを通過することができず、ミドルドア３３０の上方側への移動を規制することになる。
【０１２７】
図には明示しないが、ミドルドア３３０が前面扉１００に対して閉塞している場合において、ロック部材３０５によるロックを解除した後にミドルドア３３０を前面扉１００に対して開動作させるときには、ミドルドア３３０をヒンジピン３３２の軸心回りに後方側に向けて回動させることにより、該ミドルドア３３０は、前面扉１００に対して開放した状態になる。
【０１２８】
一方、そのような開放状態にあるミドルドア３３０を前面扉１００に対して閉動作させる場合には、ミドルドア３３０をヒンジピン３３２の軸心回りに前方側に向けて回動させ、ミドルドア３３０の前面が前面扉１００に対向して前面扉１００に対して閉塞する。その後、ロック部材３０５によりロックされてその閉塞状態が保持される。
【０１２９】
次に、ミドルドア３３０と軸受部材１５０との係合状態を解除する場合について説明する。封印キャップ１５２の接続部分１５２３（図３７参照）を例えばニッパー等の工具で破断させる。封印キャップ１５２の係合部１５２２の外径は中空部の内径よりも小さいために、ヒンジピン３３２と封印キャップ１５２の係合部１５２２とが係合した状態のままミドルドア３３０を上方側に移動させることにより、該ミドルドア３３０と軸受部材１５０との係合状態を解除することができる。
【０１３０】
このように軸受部材１５０との係合状態を解除したミドルドア３３０を再び軸受部材１５０に係合させる場合には、ヒンジピン３３２に係合したままの封印キャップ１５２の一部（係合部１５２２）を除去して、新たな封印キャップ１５２を利用して上述したように係合させる。つまり、ミドルドア３３０と軸受部材１５０との係合状態を一端解除してしまうと、新たな封印キャップ１５２が必要になる。このことから、ミドルドア３３０を軸受部材１５０から離脱させると痕跡が残ることになる。
【０１３１】
以上説明したような本発明の実施の形態４における遊技機においては、ミドルドア３３０は、ヒンジピン３３２が係合孔１５０ａの内部に設けられたヒンジカラー１５１の支持部１５１１に回動可能に支持されて軸受部材１５０と係合することにより、回動することにより前面扉１００に対して開閉動作することができる。これにより、ミドルドア３３０を取り外さなくても、前面扉１００に対して後方側に回動、すなわち開動作させるだけで、リール１０２の保守作業を行うことができ、保守作業の円滑化を図ることができる。特に、係合孔１５０ａの内部に設けたヒンジカラー１５１を介してミドルドア３３０を回動させるので、ミドルドア３３０の回動の安定性を向上させるとともに、ガタツキを防止することができる。
【０１３２】
また、遊技機によれば、ミドルドア３３０を軸受部材１５０から離脱させると痕跡が残るので、ミドルドア３３０を軸受部材１５０から取り外した履歴を残すことができ、これにより、意図しない作業が行われた場合にすぐに察知することができ、不正行為を有効に抑止することができる。
【０１３３】
＜実施の形態５＞以下に本発明の実施の形態５における遊技機について説明する。この実施の形態５における遊技機の概要を説明すると次のようになる。
【０１３４】
すなわち、前面が開口した箱状のキャビネット２００と、このキャビネット２００の前面開口を開閉する態様で該キャビネット２００に配設された前面扉１００とを備えた遊技機において、前面側に変動表示部材を保持し、かつ前面扉１００の後面側に設けた扉体と、扉体に形成された軸状部が挿入され、かつ該軸状部の軸心回りに扉体が回動することを許容する支持部材と、支持部材を内部に設けた係合孔部と、軸状部の端部に結合し、軸状部が支持部材への挿入方向と反対側の方向に向けて移動することを規制する規制部材とを備えたものである。
【０１３５】
図３８〜図４４は、それぞれ本発明の実施の形態５における遊技機の要部を示したものであり、図３８は遊技機を構成するミドルドアの後面図、図３９〜図４４は、それぞれ図３８に示したミドルドアと、遊技機を構成する軸受部材との係合状態を示す分解斜視図、上方側から見た後方斜視図、下方側から見た後方斜視図、後面図、断面側面図および拡大底面図である。尚、上述した実施の形態１における遊技機（パチスロ機１）と同一の構成を有するものには同一の符号を付してその説明を省略する。
【０１３６】
本発明の実施の形態５における遊技機は、実施の形態１のパチスロ機１を構成するミドルドア３００および軸受部材１２０に代わり、ミドルドア（扉体）３４０および軸受部材１６０を備えている。すなわち、本発明の実施の形態５における遊技機は、上述した実施の形態１における遊技機（パチスロ機１）とはミドルドア３４０および軸受部材１６０が異なるのみで、その他の構成は同じである。
【０１３７】
ミドルドア３４０は、実施の形態１におけるミドルドア３００と同様に前面扉１００の後面側中央、すなわちＣ／Ｐボタン１０６、スタートレバー１０７および停止ボタン１０８に対応する部位に取り付けられるものであり、図３８に示すように左方に延在する２つのヒンジアーム３４１を有している。
【０１３８】
それぞれのヒンジアーム３４１の延在先端部には、下方に向けて突出するヒンジピン（軸状部）３４２が設けてある。ヒンジピン３４２は、基部３４２１と、結合突起部３４２２とを有して成るものである。基部３４２１は、円柱状の形態を成し、ヒンジアーム３４１の延在先端部に接続された部位である。結合突起部３４２２は、基部３４２１の先端部分、すなわち基部３４２１の下端部分から下方に突出する態様で設けられたもので、下端に開口するネジ孔３４２３が設けてある。また、結合突起部３４２２の最大幅は、基部３４２１の外径よりも小さいものである。
【０１３９】
上述したミドルドア３４０には、実施の形態１におけるミドルドア３００と同様に、上方の左右側部および下部の３箇所の位置にロック部材３０５（摘み部３０５ａ）が設けてあり、右側部には把持部３００ａが設けてある。また、ミドルドア３４０の前面には、各リール１０２Ｌ，１０２Ｃ，１０２Ｒがステッピングモータ５１３Ｌ，５１３Ｃ，５１３Ｒとともに取り付けてある。リール１０２は、ミドルドア３４０の後面側では保護カバー３０６で覆われている。更に、ミドルドア３４０においてリール１０２を取り付けた上側には、基板ケース４００が取り付けてある。
【０１４０】
軸受部材１６０は、実施の形態１における軸受部材１２０と同様に前面扉１００の後面側に取り付けられるものであり、図３９に示すように、係合孔（係合孔部）１６０ａと、ヒンジカラー（支持部材）１６１と、封印キャップ（規制部材）１６２と、封印シール１６４とを備えて構成してある。
【０１４１】
係合孔１６０ａは、２つ設けてあり、ミドルドア３４０のヒンジピン３４２が挿通できるのに十分な大きさを有している。この係合孔１６０ａは、内周壁に係合溝部１６０ｂ（図４３参照）が形成してあり、しかも軸受部材１６０の前方側に形成された開口部（図示せず）と連通する態様で形成してある。
【０１４２】
ヒンジカラー１６１は、支持部１６１１と、係合片１６１２とを有して構成してある。支持部１６１１は、中空部が上下方向に延在する略円筒状の形態を成しており、中空部の上下方向の長さはヒンジピン３４２よりも僅かに小さく、中空部の内径はヒンジピン３４２の外径（基部３４２１の外径）よりも僅かに大きく形成してある。この支持部１６１１は、詳細は後述するが、ミドルドア３４０をヒンジピン３４２の軸心回りに回動可能に支持するためのものである。
【０１４３】
係合片１６１２は、貫通孔（図示せず）が形成された平板状のものであり、かかる貫通孔に支持部１６１１が貫通してある。この係合片１６１２は、周縁部が係合溝部１６０ｂに進入して係合するものである。
【０１４４】
封印キャップ１６２は、図４５に示すように、内部にネジ孔１６２１が形成された円状のものである。この封印キャップ１６２には、外径がヒンジカラー１６１の中空部の内径に適合する周壁部１６２２が形成してある。また、封印キャップ１６２の外径は、係合孔１６０ａの内径よりも大きく形成してある。また、図４５中の符号１６２３は、封印キャップ１６２の底面であり、後述する封印シール１６４との接地面になる。
【０１４５】
封印シール１６４は、円板状のフィルムシートのようなものであり、上面が粘着面になっている。この封印シール１６４は、一旦剥がすと粘着力を失うものである。
【０１４６】
次に、ミドルドア３４０と、軸受部材１６０との係合状態について説明する。ヒンジカラー１６１は、係合孔１６０ａの内部に設けてある。より詳細に説明すると、ヒンジカラー１６１は、開口部から係合孔１６０ａの内部に進入させられ、該ヒンジカラー１６１の係合片１６１２の周縁部が係合溝部１６０ｂに進入させられて係合してある。
【０１４７】
このようにヒンジカラー１６１が係合孔１６０ａの内部に設けた状態で、軸受部材１６０は、実施の形態１における軸受部材１２０と同様に、前面扉１００の後面側の所定部位に図示しない取付手段を介して取り付けてある。
【０１４８】
係合孔１６０ａの内部に設けたヒンジカラー１６１の支持部１６１１における中空部に、ヒンジピン３４２が上方側より挿入されることにより、ミドルドア３４０が軸受部材１６０と係合している。より詳細に説明すると、ヒンジピン３４２が支持部１６１１の中空部に上方側から挿入される一方、封印キャップ１６２の周壁部１６２２が支持部１６１１の中空部の下方側から挿入され、ヒンジピン３４２の結合突起部３４２２のネジ孔３４２３と、封印キャップ１６２のネジ孔１６２１とを一致させた後にネジ１６３で螺合させて封印キャップ１６２をヒンジピン３４２に結合させる結果、ミドルドア３４０は、軸受部材１６０に係合している。そして、ヒンジカラー１６１の支持部１６１１における中空部は、内径がヒンジピン３４２の外径（基部３４２１の外径）よりも僅かに大きく形成してあるので、ミドルドア３４０は、ヒンジピン３４２の軸心（中心軸）回りに回動可能な態様で軸受部材１６０に係合している。
【０１４９】
このようにミドルドア３４０は、軸受部材１６０に回動可能な態様で係合することにより、ミドルドア３４０の左側部が係合端、右側部が自由端として、実施の形態１におけるミドルドア３００と同様に、前面扉１００の後面側中央の所定部位に該前面扉１００に対して開閉可能に取り付けてある。
【０１５０】
ミドルドア３４０のヒンジピン３４２を構成する結合突起部３４２２と結合された封印キャップ１６２は、ミドルドア３４０の回動動作に従動して、ヒンジピン３４２と一体的に回転することになる。また、封印キャップ１６２は、外径が係合孔１６０ａの内径よりも大きいので、ミドルドア３４０を上方側に移動させても係合孔１６０ａを通過することができず、ミドルドア３４０の上方側への移動を規制することになる。この封印キャップ１６２の底面（接地面）１６２３には、ネジ孔１６２１を覆う態様で封印シール１６４を貼り付けてある。これにより、ネジを外部に晒す虞れがなく、美観にも優れたものになる。
【０１５１】
図には明示しないが、ミドルドア３４０が前面扉１００に対して閉塞している場合において、ロック部材３０５によるロックを解除した後にミドルドア３４０を前面扉１００に対して開動作させるときには、ミドルドア３４０をヒンジピン３４２の軸心回りに後方側に向けて回動させることにより、該ミドルドア３４０は、前面扉１００に対して開放した状態になる。
【０１５２】
一方、そのような開放状態にあるミドルドア３４０を前面扉１００に対して閉動作させる場合には、ミドルドア３４０をヒンジピン３４２の軸心回りに前方側に向けて回動させ、ミドルドア３４０の前面が前面扉１００に対向して前面扉１００に対して閉塞する。その後、ロック部材３０５によりロックされてその閉塞状態が保持される。
【０１５３】
以上説明したような本発明の実施の形態５における遊技機においては、ミドルドア３４０は、ヒンジピン３４２が係合孔１６０ａの内部に設けられたヒンジカラー１６１の支持部１６１１に回動可能に支持されて軸受部材１６０と係合することにより、回動することにより前面扉１００に対して開閉動作することができる。これにより、ミドルドア３４０を取り外さなくても、前面扉１００に対して後方側に回動、すなわち開動作させるだけで、リール１０２の保守作業を行うことができ、保守作業の円滑化を図ることができる。特に、係合孔１６０ａの内部に設けたヒンジカラー１６１を介してミドルドア３４０を回動させるので、ミドルドア３４０の回動の安定性を向上させるとともに、ガタツキを防止することができる。また、ネジ１６３を上下方向に沿って螺合させたことにより、ミドルドア３４０を引き抜こうとする方向（上方向）への強度を向上させることができる。
【０１５４】
また、遊技機によれば、封印シール１６４を剥がすと粘着力が失われてしまい、かかる封印シール１６４を再度利用することができない。そのため、封印シール１６４を一旦剥がすと履歴を残すことができ、これにより、意図しない作業が行われた場合にすぐに察知することができ、不正行為を有効に抑止することができる。
【０１５５】
以上、本発明の好適な実施の形態１〜５について説明したが、本発明はこれらに限定されるものではなく、種々の変更を行うことができる。例えば、実施の形態２および実施の形態４における封印キャップ１３２，１５２の底面にも、実施の形態３および実施の形態５で説明したような封印シールを貼り付けても良い。
【０１５６】
（１）本発明の実施の形態に係る遊技機は、前面が開口した箱状の遊技機本体と、前記遊技機本体の前面開口を開閉する態様で該遊技機本体に配設された前面扉とを備えた遊技機において、前面側に変動表示部材を保持し、かつ前記前面扉の後面側に設けた扉体と、前記扉体を前記前面扉に対して回動自在となる態様で支持し、前記扉体の回動時には該扉体が前後方向へ移動することを許容する支持手段とを備えたことを特徴とする。
【０１５７】
本実施の形態によれば、前面側に変動表示部材を保持し、かつ前面扉の後面側に設けた扉体を前面扉に対して回動自在となる態様で支持し、該扉体の回動時には該扉体が前後方向へ移動することを許容するので、扉体を前面扉に対して後方側に回動させるだけで、前面側に保持する変動表示部材を表出させることができる。その結果、扉体を取り外さなくても、回動させるだけで、表示変動部材の保守作業を行うことができる。また、支持手段が、扉体を回動可能となる態様で支持し、扉体の回動時には扉体が前後方向へ移動することを許容するので、扉体の回動時には、扉体を後方に移動させることで、扉体の前面側に保持された表示変動部材が前面扉の構成部材と干渉する虞れがなく、スムーズ、かつ確実に扉体を回動させることができる。
【０１５８】
（２）本発明の実施の形態に係る遊技機は、上述した（１）の遊技機において、前記支持手段は、前記扉体に形成された軸状部が挿入され、かつ該軸状部の軸心回りに前記扉体が回動することを許容しながら該軸状部が前後方向へ移動することを許容する長孔部を有して成ることを特徴とする。
【０１５９】
本実施の形態によれば、扉体に形成された軸状部が挿入される長孔部が、該軸状部の軸心回りに扉体が回動することを許容しながら該軸状部が前後方向へ移動することを許容するので、扉体の回動時には、扉体の前面側に保持された表示変動部材が前面扉の構成部材と干渉する虞れがなく、スムーズ、かつ確実に扉体を回動させることができる。
【０１６０】
（３）本発明の実施の形態に係る遊技機は、上述した（１）または（２）の遊技機において、前記支持手段は、前記扉体が後方に移動し、かつ前記前面扉に対して後方側に向けて回動した状態にある場合に、該回動した状態を保持するための保持部を有して成ることを特徴とする。
【０１６１】
本実施の形態によれば、保持部が、扉体が後方に移動し、かつ前面扉に対して後方側に回動した状態にある場合に、該回動した状態を安定的に保持するので、表示変動部材の保守作業を容易に行うことができる。
【０１６２】
（４）本実施の形態に係る遊技機は、上述した（１）〜（３）のいずれか一つの遊技機において、前記支持手段は、前記扉体を着脱可能に支持し、該扉体には、各種処理動作を制御する主制御手段と、把手となる把持部とが形成されて成ることを特徴とする。
【０１６３】
本実施の形態によれば、支持手段は、扉体を着脱可能に支持し、該扉体には把手となる把持部が形成されてなるので、扉体を取り外して表示変動部材の保守作業を行う際に、作業者が把持部を把持することにより、扉体の持ち運びが容易に行え、利便性が向上する。また、扉体には、各種処理動作を制御する主制御手段と、表示変動部材とが設けられているため、機種変更の際には、それらを扉体ごと交換することにより実現することができ、有用である。ここで、主制御手段および表示変動部材の交換は、機種変更の際に必ず必要なものであり、これら主制御手段および表示変動部材の交換作業のみで機種変更が可能となる場合もあるため、機種変更を行う際にも有用である。
【０１６４】
（５）本実施の形態に係る遊技機は、上述した（１）の遊技機において、前記支持手段は、前記扉体に形成された軸状部が挿入され、かつ該軸状部の軸心回りに前記扉体が回動することを許容する支持部材と、前記支持部材と係合し、該支持部材が前後方向に移動することを許容する係合孔部と、前記軸状部の端部に係合し、前記軸状部が前記支持部材への挿入方向と反対側の方向に向けて移動することを規制する規制部材とを備えたことを特徴とする。
【０１６５】
本実施の形態によれば、支持部材が、扉体に形成された軸状部が挿入され、かつ該軸状部の軸心回りに扉体が回動することを許容し、係合孔部が、支持部材と係合し、該支持部材が前後方向に移動することを許容し、規制部材が、軸状部の端部に係合し、軸状部が支持部材への挿入方向と反対側の方向に向けて移動することを規制するので、扉体の回動時には、扉体の前面側に保持された表示変動部材が前面扉の構成部材と干渉する虞れがなく、スムーズ、かつ確実に扉体を回動させることができ、しかも、扉体の回動および移動の安定性を向上させるとともに、ガタツキを防止することができる。
【０１６６】
（６）本実施の形態に係る遊技機は、上述した（５）の遊技機において、前記扉体には、ピン部材が設けてあり、前記支持手段には、前記係合孔部を形成する側周面上に前記ピン部材と摺接する摺接面が形成されて成ることを特徴とする。
【０１６７】
本実施の形態によれば、扉体にはピン部材が設けてあり、支持手段には、係合孔部を形成する側周面上にピン部材と摺接する摺接面が形成されて成るので、扉体の回動および移動の安定性を更に向上させることができるととともに、扉体が前面扉に対して開放した状態を良好に保持することができる。
【産業上の利用可能性】
【０１６８】
以上のように、本発明に係る遊技機は、保守作業を行う際に有用であり、特に、リール等の表示変動部材の保守作業を行うことに適している。
【図面の簡単な説明】
【０１６９】
【図１】本発明に係る遊技機の外観を示す前面視の斜視図である。
【図２】図１に示す遊技機の前面扉の後面側を示す図である。
【図３】ミドルドアを示す後面図である。
【図４】ミドルドアを外した状態の前面扉の後面側を示す図である。
【図５】ミドルドアを示す斜視図である。
【図６】軸受部材を示す斜視図である。
【図７】軸受部材を示す側面図である。
【図８】軸受部材を示す平面図である。
【図９】ミドルドアと軸受部材との係合状態を示す背面図である。
【図１０】図９の要部を拡大して示す斜視図である。
【図１１】図９の要部を拡大して示す平面図である。
【図１２】図９の要部を拡大して示す平面図である。
【図１３】本発明に係る遊技機の制御系を示すブロック図である。
【図１４】本発明の実施の形態２における遊技機を構成するミドルドアの後面図である。
【図１５】図１４に示したミドルドアと、遊技機を構成する軸受部材との係合状態を示す分解斜視図である。
【図１６】図１４に示したミドルドアと、遊技機を構成する軸受部材との係合状態を示す後面図である。
【図１７】図１４に示したミドルドアと、遊技機を構成する軸受部材との係合状態を示す斜視図（後方斜視図）である。
【図１８】図１４に示したミドルドアと、遊技機を構成する軸受部材との係合状態を示す側面図である。
【図１９】図１４に示したミドルドアと、遊技機を構成する軸受部材との係合状態を示す前面図である。
【図２０】図１４に示したミドルドアと、遊技機を構成する軸受部材との係合状態を示す縦断面図である。
【図２１】図１４に示したミドルドアと、遊技機を構成する軸受部材との係合状態を示す拡大底面図である。
【図２２】図１５に示した封印キャップを示した斜視図である。
【図２３】図２２に示した封印キャップの底面図である。
【図２４】本発明の実施の形態３における遊技機の要部を示した後面図である。
【図２５】本発明の実施の形態３における遊技機の要部を示した斜視図（後方斜視図）である。
【図２６】図２４および図２５に示した軸受部材について示した分解斜視図（後方斜視図）である。
【図２７】図２４および図２５に示した軸受部材について示した分解斜視図（前方斜視図）である。
【図２８】図２４および図２５に示した軸受部材の構成要素を結合して示した斜視図（後方斜視図）である。
【図２９】図２４および図２５に示した軸受部材の構成要素を結合して示した前面図である。
【図３０】本発明の実施の形態４における遊技機を構成するミドルドアの後面図である。
【図３１】図３０に示したミドルドアと、遊技機を構成する軸受部材との係合状態を示す分解斜視図である。
【図３２】図３０に示したミドルドアと、遊技機を構成する軸受部材との係合状態を上方側から見た後方斜視図である。
【図３３】図３０に示したミドルドアと、遊技機を構成する軸受部材との係合状態を下方側から見た後方斜視図である。
【図３４】図３０に示したミドルドアと、遊技機を構成する軸受部材との係合状態を示す側面図である。
【図３５】図３０に示したミドルドアと、遊技機を構成する軸受部材との係合状態を示す断面側面図である。
【図３６】図３１に示した封印キャップを示した斜視図である。
【図３７】図３６に示した封印キャップの底面図である。
【図３８】本発明の実施の形態５における遊技機を構成するミドルドアの後面図である。
【図３９】図３８に示したミドルドアと、遊技機を構成する軸受部材との係合状態を示す分解斜視図である。
【図４０】図３８に示したミドルドアと、遊技機を構成する軸受部材との係合状態を上方側から見た後方斜視図である。
【図４１】図３８に示したミドルドアと、遊技機を構成する軸受部材との係合状態を下方側から見た後方斜視図である。
【図４２】図３８に示したミドルドアと、遊技機を構成する軸受部材との係合状態を示す後面図である。
【図４３】図３８に示したミドルドアと、遊技機を構成する軸受部材との係合状態を示す断面側面図である。
【図４４】図３８に示したミドルドアと、遊技機を構成する軸受部材との係合状態を示す拡大底面図である。
【図４５】図３９に示した封印キャップの底面図である。
【符号の説明】
【０１７０】
１  パチスロ機１００  前面扉１２０，１３０，１４０，１５０，１６０  軸受部材１２０ａ  係合孔１２１  ガイド突起１２１ａ  摺接部１２１ｂ  湾曲部１２１ｃ  凸部２００  キャビネット３００，３１０，３２０，３３０，３４０  ミドルドア３０１  ヒンジアーム３０２  ヒンジピン３０３  支持アーム３０４  支持ピン４００  基板ケース
【図１】
2008246265.tif 000003
【図２】
2008246265.tif 000004
【図３】
2008246265.tif 000005
【図４】
2008246265.tif 000006
【図５】
2008246265.tif 000007
【図６】
2008246265.tif 000008
【図７】
2008246265.tif 000009
【図８】
2008246265.tif 000010
【図９】
2008246265.tif 000011
【図１０】
2008246265.tif 000012
【図１１】
2008246265.tif 000013
【図１２】
2008246265.tif 000014
【図１３】
2008246265.tif 000015
【図１４】
2008246265.tif 000016
【図１５】
2008246265.tif 000017
【図１６】
2008246265.tif 000018
【図１７】
2008246265.tif 000019
【図１８】
2008246265.tif 000020
【図１９】
2008246265.tif 000021
【図２０】
2008246265.tif 000022
【図２１】
2008246265.tif 000023
【図２２】
2008246265.tif 000024
【図２３】
2008246265.tif 000025
【図２４】
2008246265.tif 000026
【図２５】
2008246265.tif 000027
【図２６】
2008246265.tif 000028
【図２７】
2008246265.tif 000029
【図２８】
2008246265.tif 000030
【図２９】
2008246265.tif 000031
【図３０】
2008246265.tif 000032
【図３１】
2008246265.tif 000033
【図３２】
2008246265.tif 000034
【図３３】
2008246265.tif 000035
【図３４】
2008246265.tif 000036
【図３５】
2008246265.tif 000037
【図３６】
2008246265.tif 000038
【図３７】
2008246265.tif 000039
【図３８】
2008246265.tif 000040
【図３９】
2008246265.tif 000041
【図４０】
2008246265.tif 000042
【図４１】
2008246265.tif 000043
【図４２】
2008246265.tif 000044
【図４３】
2008246265.tif 000045
【図４４】
2008246265.tif 000046
【図４５】
2008246265.tif 000047